(57)【要約】【課題】指又部分における破損を防ぐことができる手袋を提供する。【解決手段】手袋１０Ａは、第１および第２生地１２，１３が熱可塑性合成樹脂繊維で作られたニットであり、第３及び第４生地１４，１５が伸縮性を有する熱溶着性フィルムであり、第１及び第３生地１２，１４の周縁１６，１８が溶着線２０で接合され、第２及び第４生地１３，１５の周縁１７，１９が溶着線２１で接合されており、第３及び第４生地１４，１５の周縁１８，１９が溶着線２２で接合されている。手挿入口１１では、第１および第３生地１２，１４の端縁２３，２５が溶着線２７で接合され、第２及び第４生地１３，１５の端縁２４，２６が溶着線２７で接合されている。手袋１０Ａは、それら生地１２，１３，１４，１５の周縁１６，１７，１８，１９と端縁２３，２４，２５，２６とを除く残余の部位２８が非接合である。【選択図】図１
2008266836.tif 000002
【特許請求の範囲】
【請求項１】
着用者の前腕から五指へ向かう部位のうちの少なくとも手の甲と手の平と五指とを包被する手袋において、
前記手袋が、前記前腕から五指へ向かう部位のうちの少なくとも手の甲および該手の甲から続く五指の上部を覆う第１生地と、前記前腕から五指へ向かう部位のうちの少なくとも手の平および該手の平から続く五指の下部を覆う第２生地と、前記第１生地の外側に重なって前記前腕から五指へ向かう部位のうちの少なくとも前記手の甲および該手の甲から続く五指の上部を覆う第３生地と、前記第２生地の外側に重なって前記前腕から五指へ向かう部位のうちの少なくとも前記手の平および該手の平から続く五指の下部を覆う第４生地とから形成され、手挿入口を除いた前記第１〜第４生地の周縁が接合され、それら生地の周縁を除く残余の部位が非接合であることを特徴とする手袋。
【請求項２】
前記第１生地と前記第２生地とが、熱可塑性合成樹脂繊維から作られて前記前腕から五指へ向かう部位のうちの少なくとも手の形に成形されたニットであり、前記第３生地と前記第４生地とが、伸縮性を有して前記前腕から五指へ向かう部位のうちの少なくとも手の形に成形された熱溶着性フィルムであり、前記手袋では、前記第１生地の周縁と前記第３生地の周縁とが溶着され、前記第２生地の周縁と前記第４生地の周縁とが溶着されており、前記第３生地の周縁と前記第４生地の周縁とが溶着され、前記手挿入口では、前記第１生地と前記第３生地とが溶着され、前記第２生地と前記第４生地とが溶着されている請求項１記載の手袋。
【請求項３】
前記第１〜第４生地が、伸縮性を有して前記前腕から五指へ向かう部位のうちの少なくとも手の形に成形された熱溶着性フィルムであり、前記第１および第２生地の定加重時伸び率が、前記第３および第４生地の定加重時伸び率よりも大きく、前記手袋では、前記第１生地の周縁と前記第３生地の周縁とが溶着され、前記第２生地の周縁と前記第４生地の周縁とが溶着されており、前記第３生地の周縁と前記第４生地の周縁とが溶着され、前記手挿入口では、前記第１生地と前記第３生地とが溶着され、前記第２生地と前記第４生地とが溶着されている請求項１記載の手袋。
【請求項４】
前記熱溶着性フィルムが、ガス透過性を有し、前記熱溶着性フィルムの透湿度が、１０００〜６０００ｇ／ｍ２・２４ｈｒの範囲にある請求項２または請求項３に記載の手袋。
【請求項５】
前記熱溶着性フィルムの厚み寸法が、１５〜１００μｍの範囲にあり、前記熱溶着性フィルムの定加重時伸び率が、２０〜３００％の範囲にある請求項２ないし請求項４いずれかに記載の手袋。
【請求項６】
前記第１〜第４生地の周縁が、前記手袋の内側へ向かって延出している請求項１ないし請求項５いずれかに記載の手袋。
【請求項７】
前記手袋が、クリーンルームで使用されるクリーンルーム用防塵手袋である請求項１ないし請求項６いずれかに記載の手袋。
【発明の詳細な説明】
【技術分野】
【０００１】
本発明は、着用者の前腕から五指へ向かう部位のうちの少なくとも手の甲と手の平と五指とを包被する手袋に関する。
【背景技術】
【０００２】
着用者の手を覆う手被覆部と、手被覆部と一体成形されて着用者の腕を覆う筒状の腕被覆部とから形成され、腕被覆部が着用者の手首と肘との間の中間に位置するクリーンルーム用手袋がある（特許文献１参照）。この手袋は、天然ゴム製の伸縮性フィルムから作られている。手袋では、腕被覆部の端縁の直径が腕の直径と同一または腕の直径よりも小さく、腕被覆部の端縁にリング状のゴムが取り付けられている。この手袋は、腕被覆部の端縁が伸縮可能であり、腕被覆部の端縁が着用者の腕に密着するから、腕を動かしたときの手袋のずれ動きを防ぐことができる。
【特許文献１】特開２０００−１７００１５号公報
【発明の開示】
【発明が解決しようとする課題】
【０００３】
前記特許文献１に開示の手袋は、その使用中に指又部分（指と指との間の付け根部分）が伸縮を繰り返すと、指又部分に作用する引張力やずれ応力で手袋が指又部分において不用意に破損し、塵埃が指又部分の破損箇所から外気に漏れてしまう場合がある。
【０００４】
本発明の目的は、指又部分における破損を防ぐことができる手袋を提供することにある。
【課題を解決するための手段】
【０００５】
前記課題を解決するための本発明の前提は、着用者の前腕から五指へ向かう部位のうちの少なくとも手の甲と手の平と五指とを包被する手袋である。
【０００６】
前記前提における本発明の特徴としては、手袋が、前腕から五指へ向かう部位のうちの少なくとも手の甲および該手の甲から続く五指の上部を覆う第１生地と、前腕から五指へ向かう部位のうちの少なくとも手の平および該手の平から続く五指の下部を覆う第２生地と、第１生地の外側に重なって前腕から五指へ向かう部位のうちの少なくとも手の甲および該手の甲から続く五指の上部を覆う第３生地と、第２生地の外側に重なって前腕から五指へ向かう部位のうちの少なくとも手の平および該手の平から続く五指の下部を覆う第４生地とから形成され、手挿入口を除いた第１〜第４生地の周縁が接合され、それら生地の周縁を除く残余の部位が非接合であることにある。
【０００７】
本発明の一例としては、第１生地と第２生地とが熱可塑性合成樹脂繊維から作られて前腕から五指へ向かう部位のうちの少なくとも手の形に成形されたニットであり、第３生地と第４生地とが伸縮性を有して前腕から五指へ向かう部位のうちの少なくとも手の形に成形された熱溶着性フィルムであり、この手袋では、第１生地の周縁と第３生地の周縁とが溶着され、第２生地の周縁と第４生地の周縁とが溶着されており、第３生地の周縁と第４生地の周縁とが溶着され、手挿入口では、第１生地と第３生地とが溶着され、第２生地と第４生地とが溶着されている。
【０００８】
本発明の他の一例としては、第１〜第４生地が伸縮性を有して前腕から五指へ向かう部位のうちの少なくとも手の形に成形された熱溶着性フィルムであり、第１および第２生地の定加重時伸び率が第３および第４生地の定加重時伸び率よりも大きく、この手袋では、第１生地の周縁と第３生地の周縁とが溶着され、第２生地の周縁と第４生地の周縁とが溶着されており、第３生地の周縁と第４生地の周縁とが溶着され、手挿入口では、第１生地と第３生地とが溶着され、第２生地と第４生地とが溶着されている。
【０００９】
本発明の他の一例としては、熱溶着性フィルムがガス透過性を有し、熱溶着性フィルムの透湿度が１０００〜６０００ｇ／ｍ２・２４ｈｒの範囲にある。
【００１０】
本発明の他の一例としては、熱溶着性フィルムの厚み寸法が１５〜１００μｍの範囲にあり、熱溶着性フィルムの定加重時伸び率が２０〜３００％の範囲にある。
【００１１】
本発明の他の一例としては、第１〜第４生地の周縁が手袋の内側へ向かって延出している。
【００１２】
本発明の他の一例としては、手袋がクリーンルームで使用されるクリーンルーム用防塵手袋である。
【発明の効果】
【００１３】
本発明にかかる手袋によれば、手袋の着用中に指又部分において第１〜第４生地のうちのいずれかの生地の接合が解除されたとしても、他の生地どうしの接合が維持されており、指又部分が破損し難く、指又部分からの塵埃の漏れを防ぐことができる。この手袋は、第１〜第４生地の周縁を除く残余の部位が非接合であり、周縁を除く残余の部位において第１生地と第３生地とが自由に動くことができ、第１生地に作用する引張力やずれ応力が第３生地に作用し難く、手袋の着用中に第１生地の残余の部位が破損したとしても、それによって第３生地が破損することはない。また、周縁を除く残余の部位において第２生地と第４生地とが自由に動くことができるから、第２生地に作用する引張力やずれ応力が第４生地に作用し難く、手袋の着用中に第２生地の残余の部位が破損したとしても、それによって第４生地が破損することはない。
【００１４】
第１生地と第２生地とが熱可塑性合成樹脂繊維から作られたニットであり、第３生地と第４生地とが伸縮性を有する熱溶着性フィルムであり、第１生地の周縁と第３生地の周縁とが溶着され、第２生地の周縁と第４生地の周縁とが溶着されており、第３生地の周縁と第４生地の周縁とが溶着された手袋は、その着用中に指又部分における第１生地に引張力や剥離力、ずれ応力が作用し、指又部分において第１生地と第３生地との接合が解除されたとしても、引張力や剥離力、ずれ応力が第１生地から第３生地や第４生地に伝わることはないから、第３生地と第４生地との接合が維持され、指又部分における手袋の破損を確実に防ぐことができ、指又部分からの塵埃の漏れを確実に防ぐことができる。また、手袋の着用中に指又部分における第２生地に引張力や剥離力、ずれ応力が作用し、指又部分において第２生地と第４生地との接合が解除されたとしても、引張力や剥離力、ずれ応力が第２生地から第４生地や第３生地に伝わることはないから、第３生地と第４生地との接合が維持され、指又部分における手袋の破損を確実に防ぐことができ、指又部分からの塵埃の漏れを確実に防ぐことができる。この手袋は、周縁を除く残余の部位において第３生地の伸縮性が第１生地に拘束されることはなく、第１生地の残余の部位が伸び限界以上に伸長されて破損したとしても、それにともなって第３生地が破損することはなく、手袋の一気の破損を防ぐことができる。また、周縁を除く残余の部位において第４生地の伸縮性が第２生地に拘束されることはなく、第２生地の残余の部位が伸び限界以上に伸長されて破損したとしても、それにともなって第４生地が破損することはなく、手袋の一気の破損を防ぐことができる。
【００１５】
第１〜第４生地が伸縮性を有する熱溶着性フィルムであり、第１および第２生地の定加重時伸び率が第３および第４生地の定加重時伸び率よりも大きく、第１生地の周縁と第３生地の周縁とが溶着され、第２生地の周縁と第４生地の周縁とが溶着されており、第３生地の周縁と第４生地の周縁とが溶着された手袋は、その着用中に指又部分における第１生地に引張力や剥離力、ずれ応力が作用し、指又部分において第１生地と第３生地との接合が解除されたとしても、引張力や剥離力、ずれ応力が第１生地から第３生地や第４生地に伝わることはないから、第３生地と第４生地との接合が維持され、指又部分における手袋の破損を確実に防ぐことができ、指又部分からの塵埃の漏れを確実に防ぐことができる。また、手袋の着用中に指又部分における第２生地に引張力や剥離力、ずれ応力が作用し、指又部分において第２生地と第４生地との接合が解除されたとしても、引張力や剥離力、ずれ応力が第２生地から第４生地や第３生地に伝わることはないから、第３生地と第４生地との接合が維持され、指又部分における手袋の破損を確実に防ぐことができ、指又部分からの塵埃の漏れを確実に防ぐことができる。この手袋は、第１および第２生地の定加重時伸び率が第３および第４生地の定加重時伸び率よりも大きいから、第１および第２生地が着用者の手の動きに追従し、着用者が手を激しく動かしたとしても、それら生地が破損することはない。さらに、第１および第２生地が着用者の手の動きに追従することで、第１および第２生地と第３および第４生地との接合が維持され、指又部分における手袋の破損を確実に防ぐことができる。
【００１６】
熱溶着性フィルムがガス透過性を有し、熱溶着性フィルムの透湿度が１０００〜６０００ｇ／ｍ２・２４ｈｒの範囲にある手袋は、手袋の内部からの塵埃の漏れを防ぎつつ、手袋内部の湿気を外気に逃がすことができ、手袋の着用中における蒸れを防ぐことができる。この手袋は、着用者の手の蒸れを防ぐことができるから、長時間の使用において着用者に不快感を与えることがない。
【００１７】
熱溶着性フィルムの厚み寸法が１５〜１００μｍの範囲にあり、熱溶着性フィルムの定加重時伸び率が２０〜３００％の範囲にある手袋は、第３および第４生地が熱溶着性フィルムである手袋の場合、第３および第４生地が優れた伸縮性を有するから、第１生地が伸び限界以上に伸長されて破損したとしても、第３生地がそれにともなって破損することはなく、第２生地が伸び限界以上に伸長されて破損したとしても、第４生地がそれにともなって破損することはなく、手袋の一気の破損を確実に防ぐことができる。また、第１〜第４生地が熱溶着性フィルムである手袋の場合、第１〜第４生地が優れた伸縮性を有するから、第１〜第４生地が着用者の手の動きに追従し、着用者が手を激しく動かしたとしても、それら生地が破損することはない。さらに、第１および第２生地が着用者の手の動きに追従することで、第１および第２生地と第３および第４生地との接合が維持され、指又部分における手袋の破損を確実に防ぐことができる。
【００１８】
第１〜第４生地の周縁が手袋の内側へ向かって延出している手袋は、第１〜第４生地の周縁が手袋の外側に露出することがないから、第１〜第４生地の周縁が手袋の外側に露出する場合と比較し、第１〜第４生地の周縁が外物に接触することはなく、外物に接触することから生じるそれら生地どうしの接合の解除を防ぐことができる。
【発明を実施するための最良の形態】
【００１９】
添付の図面を参照し、本発明に係る手袋の詳細を説明すると、以下のとおりである。図１は、一例として示す手袋１０Ａの斜視図であり、図２は、図１の手袋１０Ａの分解斜視図である。図３は、図１のＡ−Ａ線端面図であり、図４は、図１のＢ−Ｂ線端面図である。図５は、図１のＣ−Ｃ線端面図である。図２では、長さ方向を矢印Ｘ１、幅方向を矢印Ｘ２で示し、厚み方向を矢印Ｘ３で示す。
【００２０】
この手袋１０Ａは、着用者の前腕から五指へ向かう部位のうち、手首と手と五指とを包被するクリーンルーム用防塵手袋である。手袋１０Ａを着用するには、手挿入口１１から手を挿入する。なお、手袋１０Ａの長さや幅、大きさについて特に限定はなく、着用者の前腕から五指へ向かう部位のすべてを包被するものであってもよく、着用者の手と五指とを包被するものであってもよい。手袋１０Ａは、手首と手の甲と手の甲から続く五指の上部を覆う第１生地１２と、手首と手の平と手の平から続く五指の下部を覆う第２生地１３と、手首と手の甲と手の甲から続く五指の上部を覆う第３生地１４と、手首と手の平と手の平から続く五指の下部を覆う第４生地１５とから形成されている。
【００２１】
第１生地１２と第２生地１３とは、熱可塑性合成樹脂繊維から作られたニット（編み物）である。熱可塑性合成樹脂繊維には、ナイロン繊維が使用されている。熱可塑性合成樹脂繊維には、ナイロン繊維の他に、ポリエステル繊維、アクリル繊維、ビニロン繊維、ポリプロピレン繊維、ポリエチレン繊維、ポリ塩化ビニル繊維、ビニルデン繊維、ポリウレタン繊維のうちのいずれかの繊維を使用することもできる。また、熱可塑性合成樹脂繊維には、異形断面繊維、中空繊維、異形中空繊維、芯−鞘型繊維を使用することもできる。第１および第２生地１２，１３は、同形同大であり、その平面形状が着用者の手首および手の形に成形されている。第１および第２生地１２，１３は、手首の上部および手の上部（手の甲と手の甲から続く五指の上部）を包被可能な大きさを有する。
【００２２】
第３生地１４と第４生地１５とは、長さ方向と幅方向とへ伸縮性を有する熱溶着性フィルムである。熱溶着性フィルムには、キャスティング法やエキストルージョン法、カレンダー法等の既存の方法によって製造されるポリウレタンフィルムが使用されている。なお、第３および第４生地には、ポリウレタンフィルムの他に、ポリエステルフィルム、ポリエチレンフィルム、ポリプロピレンフィルム、ポリスチレンフィルムポリ塩化ビニルフィルム、ポリ塩化ビニルデンフィルム、ポリビニルアルコールフィルム、ポリカーボネートフィルム、ポリアミドフィルム、塩酸ゴムフィルム、ポリイミドフィルムのうちのいずれかのフィルムを使用することもできる。第３および第４生地１４，１５は、同形同大であり、その平面形状が着用者の手首および手の形に成形されている。第３および第４生地１４，１５は、手首の下部および手の下部（手の平と手の平から続く五指の下部）を包被可能な大きさを有する。
【００２３】
第３および第４生地１４，１５（熱溶着性フィルム）は、ガス透過性を有し、その透湿度が１０００〜６０００ｇ／ｍ２・２４ｈｒの範囲、好ましくは、２０００〜４０００ｇ／ｍ２・２４ｈｒの範囲にある。第３および第４生地１４，１５の透湿度が１０００ｇ／ｍ２・２４ｈｒ未満では、手袋１０Ａの通気性が第３および第４生地１４，１５によって低下し、手袋１０Ａ内部の湿気を外気に逃がすことができず、手袋１０Ａ内部が蒸れ易く、長時間の使用において着用者に不快感を与える。ただし、第３および第４生地１４，１５（熱溶着性フィルム）には、ガス透過性がないものを使用することもできる。なお、第３および第４生地１４，１５の透湿度は、ＪＩＳ  Ｌ  １０９９Ａ−Ｉ法に準拠して測定した。以下、透湿度の測定法を説明する。
【００２４】
（１）第３および第４生地１４，１５を裁断し、直径７ｃｍの円形の透湿度測定用試料を用意した。ＪＩＳ  Ｌ  １０９９Ａ−Ｉ法に規定の恒温・恒湿装置、風速計、化学はかり、円形板、透湿カップ、吸湿剤を用意した。（２）約４０℃に温めた透湿カップに吸湿剤を約３３ｇ入れ、カップに振動を与えて均一にした後、薬さじで表面を平らにならし、円形板を用いて吸湿剤と試料の下面との間の離間寸法を３ｍｍになるように調整した。次に、試料の表面を吸湿剤側に向け、試料が透湿カップに対して同心円になるように、試料を透湿カップの開口部に乗せた。さらに、パッキンおよびリングを装着し、ちょうナットによって試料を透湿カップに固定した後、粘着テープによって試料の外周縁部と透湿カップの周縁部とを固着して試験体を作成した。（３）試験体を、温度４０±２℃、湿度（９０±５）％ＲＨ（２）の恒温・恒湿装置内（試料の約１ｃｍ上部の風速が０．８ｍ／ｓを超えない位置）に置いた。２４時間経過後に試験体を恒温・恒湿装置内から取り出し、直ちに試験体の第１質量を１ｍｇの単位まで測定した。第１質量を測定した後、試験体を再び恒温・恒湿装置内の同位置に置き、さらに２４時間経過後に試験体を恒温・恒湿装置内から取り出し、直ちに試験体の第２質量を１ｍｇの単位まで測定した。（４）試験体の第１および第２質量を測定した後、次式によって透湿度を求めた。透湿度（ｇ／ｍ２・２４ｈｒ）＝｛１０×（α１−α２）｝／Ｓ、ここで、α１は第１質量であり、α２は第２質量である。α１−α２は試験体の２４時間当たりの質量の変化量（ｍｇ／ｈｒ）であり、Ｓは透湿面積（ｃｍ２）である。求めた試料の透湿度を第３および第４生地１４，１５の透湿度とした。
【００２５】
第３生地と第４生地１４，１５とは、その厚み寸法が１５〜１００μｍの範囲、好ましくは、３０〜６０μｍの範囲にあり、その定加重時伸び率が２０〜３００％の範囲にある。定加重時伸び率が２０％未満では、第３および第４生地１４，１５の伸び限界が低く、手袋１０Ａの着用中に第３および第４生地１４，１５が伸長されたときに、それら生地１４，１５が不用意に破損してしまう場合がある。第３および第４生地１４，１５の定加重時伸び率は、ＪＩＳ  Ｌ  １０１８（クラブ法）に準拠して測定した。以下、定加重時伸び率の測定法を説明する。
【００２６】
（１）第３および第４生地１４，１５を裁断し、幅１０ｃｍ、長さ１５ｃｍの定加重時伸び率測定用試料を５枚用意した。定加重時伸び率の測定には、引張試験機を使用した。（２）試料の長さ方向一端部を引張試験機の上部クランプに固定し、試料に長さ７．６ｃｍ間隔の印を付けた。試料の長さ方向他端部に初荷重（５１ｍＮ（５００ｇｆ）、引っ張り速度５±１、１０±１または３０±２ｃｍ／ｍｉｎ）を加え、静かに一定加重を加えたまま１分間放置した。１分間放置した後の印間の長さを測り、次式によって定加重時伸び率を求めた。定加重時伸び率（％）＝｛（Ｌ１−Ｌ）／Ｌ｝×１００、ここで、Ｌは元の印間の長さ（ｃｍ）であり、Ｌ１は一定加重を加えて１分間放置した後の印間の長さ（ｃｍ）である。なお、定加重時伸び率は、それらすべての試料について求めた定加重時伸び率の平均値である。求めた試料の定加重時伸び率の平均値を第３および第４生地１４，１５の定加重時伸び率とした。
【００２７】
手袋１０Ａでは、図２に示すように、それら生地１２，１３，１４，１５が手袋１０Ａの厚み方向に重なり合っている。第１生地１２と第２生地１３とは、互いに重なり合って内手袋を形成している。第３生地１４は、第１生地１２の外側に位置し、生地１２に重なっている。第４生地１５は、第２生地１３の外側に位置し、生地１３に重なっている。第３生地１４と第４生地１５とは、外手袋を形成している。手袋１０Ａでは、図３〜図５に示すように、それら生地１２，１３，１４，１５の周縁１６，１７，１８，１９が手袋１０Ａの内側へ向かって延出している。
【００２８】
手袋１０Ａでは、手挿入口１１を除き、第１生地１２の周縁１６と第３生地１４の周縁１８とがそれら生地１２，１４の周縁１６，１８に沿って延びる熱溶着線２０によって接合され、第２生地１３の周縁１７と第４生地１５の周縁１９とがそれら生地１３，１５の周縁１７，１９に沿って延びる熱溶着線２１によって接合されており、第３生地１４の周縁１８と第４生地１５の周縁１９とがそれら生地１４，１５の周縁１８，１９に沿って延びる熱溶着線２２によって接合されている。手挿入口１１では、第１生地１２と第３生地１４とがそれら生地１２，１４の端縁２３，２５に沿って延びる熱溶着線２７によって接合され、第２生地１３と第４生地１５とがそれら生地１３，１５の端縁２４，２６に沿って延びる熱溶着線２７によって接合されている（図５参照）。
【００２９】
それら生地１２，１３，１４，１５の周縁１６，１７，１８，１９と手挿入口１１の端縁２３，２４，２５，２６とを除いた残余の部位２８では、それら生地１２，１３，１４，１５が接合されておらず、一方の生地の動きが他方の生地によって阻止されることはなく、それら生地１２，１３，１４，１５が自由に動くことができる。熱溶着線２０，２１，２２は、手袋１０Ａの外側に露出することなく、手袋１０Ａの内側に位置している。
【００３０】
この手袋１０Ａの製造手順の一例を説明すると、以下のとおりである。この手袋１０Ａの製造には、高周波溶着および高周波切断を利用している。同形同大の矩形の第１〜第４生地１２，１３，１４，１５の原反を用意する。ここで、第１および第２生地１２，１３は、ナイロン繊維から作られたニットであり、第３および第４生地１４，１５は、ポリウレタンフィルムである。第１生地原反の面と第３生地原反の面とを互いに当接させるとともに、それら生地原反の縁を一致させた状態で、それら生地原反を重ね合わせる。さらに、第２生地原反の面と第４生地原反の面とを互いに当接させるとともに、それら生地原反の縁を一致させた状態で、それら生地原反を重ね合わせる。
【００３１】
重ね合わせた第１および第３生地原反をフラットな受け台の上に乗せ、直線状の第１金型を受け台に圧接し、第１金型と受け台とで第１および第３生地原反の一側縁を挟んだ後、第１金型に取り付けられた高周波誘導加熱コイルに高周波電流を流す。コイルに高周波電流を流すと、第１金型に発生する渦電流によって金型が瞬時に加熱して高温となり、第１および第３生地原反の一側縁が溶着によって接合される。同様に、重ね合わせた第２および第４生地原反をフラットな受け台の上に乗せ、直線状の第１金型を受け台に圧接し、第１金型と受け台とで第２および第４生地原反の一側縁を挟んだ後、高周波誘導加熱コイルに高周波電流を流す。コイルに高周波電流を流すと、第１金型が瞬時に発熱して高温となり、第２および第４生地原反の一側縁が溶着によって接合される。
【００３２】
次に、第３生地原反の面と第４生地原反の面とを互いに当接させるとともに、第１〜第４生地原反の溶着した一側縁を一致させた状態で、第１〜第４生地原反を重ね合わせる。それら生地原反を重ね合わせると、第３および第４生地原反が互いに対向するとともに、第３生地原反の外側に第１生地原反が位置し、第４生地原反の外側に第２生地原反が位置する。重ね合わせた第１〜第４生地原反を受け台の上に乗せ、手首を含む手の形に作られた第２金型を受け台に圧接し、第２金型と受け台とで第１〜第４生地原反を挟んだ後、第２金型に取り付けられた高周波誘導加熱コイルに高周波電流を流す。コイルに高周波電流を流すと、第２金型に発生する渦電流によって金型が瞬時に発熱して高温となり、第１生地原反と第３生地原反とが溶着によって接合され、第２生地原反と第４生地原反とが溶着によって接合されるとともに、第３生地原反と第４生地原反とが溶着によって接合される。それら生地原反が溶着接合された後、溶着部位においてそれら生地原反が溶断し、原反から手首および手の形の手袋１０Ａが切り離される。次に、第１および第２生地１２，１３が内側になるとともに、第３および第４生地１４，１５が外側になるように、切り離された手袋１０Ａを裏返し、図１の手袋１０Ａが作られる。
【００３３】
この手袋１０Ａは、その着用中に指又部分２９（指と指との間の付け根部分）における第１生地１２に引張力や剥離力、ずれ応力が作用し、指又部分２９において第１生地１２と第３生地１４との接合が解除されたとしても、引張力や剥離力、ずれ応力が第１生地１２から第３生地１４や第４生地１５に伝わることはないから、第３生地１４と第４生地１５との接合が維持され、指又部分２９における手袋１０Ａの破損を確実に防ぐことができる。また、手袋１０Ａの着用中に指又部分２９における第２生地１３に引張力や剥離力、ずれ応力が作用し、指又部分２９において第２生地１３と第４生地１５との接合が解除されたとしても、引張力や剥離力、ずれ応力が第２生地１３から第４生地１５や第３生地１４に伝わることはないから、第３生地１４と第４生地１５との接合が維持され、指又部分２９における手袋１０Ａの破損を確実に防ぐことができる。手袋１０Ａは、第１〜第４生地１２，１３，１４，１５の周縁１６，１７，１８，１９が手袋１０Ａの内側へ向かって延出し、それら生地１２，１３，１４，１５の周縁１６，１７，１８，１９（熱溶着線２０，２１，２２）が手袋１０Ａの外側に露出することがないから、それら生地１２，１３，１４，１５の周縁１６，１７，１８，１９（熱溶着線２０，２１，２２）が手袋１０Ａの外側に露出する場合と比較し、第１〜第４生地１２，１３，１４，１５の周縁１６，１７，１８，１９が外物に接触することはなく、周縁１６，１７，１８，１９が外物に接触することから生じるそれら生地１２，１３，１４，１５どうしの接合の解除を防ぐことができる。
【００３４】
手袋１０Ａは、周縁１６，１７，１８，１９を除く残余の部位２８において第３生地１４の伸縮性が第１生地１２に拘束されることはなく、第１生地１２の残余の部位２８が伸び限界以上に伸長されて破損したとしても、それにともなって第３生地１４が破損することはなく、手袋１０Ａの一気の破損を防ぐことができる。また、周縁１６，１７，１８，１９を除く残余の部位２８において第４生地１５の伸縮性が第２生地１３に拘束されることはなく、第２生地１３の残余の部位２８が伸び限界以上に伸長されて破損したとしても、それにともなって第４生地１５が破損することはなく、手袋１０Ａの一気の破損を防ぐことができる。
【００３５】
手袋１０Ａは、第３および第４生地１４，１５の透湿度が１０００〜６０００ｇ／ｍ２・２４ｈｒの範囲にあるから、手袋１０Ａの内部からの塵埃の漏れを防ぎつつ、手袋１０Ａ内部の湿気を外気に逃がすことができ、手袋１０Ａの着用中における蒸れを防ぐことができる。この手袋１０Ａは、着用者の手の蒸れを防ぐことができるから、長時間の使用において着用者に不快感を与えることがない。手袋１０Ａは、第３および第４生地１４，１５の定加重時伸び率が２０〜３００％の範囲にあるから、第１生地１２が伸び限界以上に伸長されて破損したとしても、それにともなって第３生地１４が破損することはなく、第２生地１３が伸び限界以上に伸長されて破損したとしても、それにともなって第４生地１５が破損することはなく、手袋１０Ａの一気の破損を確実に防ぐことができる。また、手袋１０Ａの着用中に第３および第４生地１４，１５が伸長されたとしても、それら生地１４，１５が不用意に破損することはない。
【００３６】
図６は、他の一例として示す手袋１０Ｂの分解斜視図であり、図７は、図６の手袋１０Ｂにおける図３と同様の端面図である。図６では、長さ方向を矢印Ｘ１、幅方向を矢印Ｘ２で示し、厚み方向を矢印Ｘ３で示す。この手袋１０Ｂが図１のそれと異なるところは、第１生地１２と第２生地１３とが長さ方向と幅方向とへ伸縮性を有する熱溶着性フィルムである点にあり、この手袋１０Ｂのその他の構成は図１の手袋１０Ａのそれらと同一であるから、図１と同一の符号を付すことで、この手袋１０Ｂのその他の構成の説明は省略する。
【００３７】
第１および第２生地１２，１３には、ポリウレタンフィルムが使用されているが、上述した他の熱溶着性フィルムを使用することもできる。第１および第２生地１２，１３は、第３および第４生地１４，１５（熱溶着性フィルム）と同様に、ガス透過性を有し、その透湿度が１０００〜６０００ｇ／ｍ２・２４ｈｒの範囲、好ましくは、２０００〜４０００ｇ／ｍ２・２４ｈｒの範囲にある。第１および第２生地１２，１３の透湿度が１０００ｇ／ｍ２・２４ｈｒ未満では、手袋１０Ｂの通気性が第１および第２生地１２，１３によって低下し、手袋１０Ｂ内部の湿気を外気に逃がすことができず、手袋１０Ｂ内部が蒸れ易く、長時間の使用において着用者に不快感を与える。ただし、第１および第２生地１２，１３（熱溶着性フィルム）や第３および第４生地１４，１５（熱溶着性フィルム）には、ガス透過性がないものを使用することもできる。なお、第１および第２生地１２，１３の透湿度の測定法は、図１の手袋１０Ａの第３および第４生地１４，１５の透湿度のそれと同様に、ＪＩＳ  Ｌ  １０９９Ａ−Ｉ法に準拠して測定した。
【００３８】
第１および第２生地１２，１３は、その厚み寸法が１５〜１００μｍの範囲、好ましくは、３０〜６０μｍの範囲にあり、その定加重時伸び率が５０〜３００％の範囲にある。なお、この手袋１０Ｂでは、第３および第４生地１４，１５の定加重時伸び率が２０〜１００％の範囲にあり、第１および第２生地１２，１３の定加重時伸び率が第３および第４生地１４，１５のそれよりも大きい。第１および第２生地１２，１３の定加重時伸び率の測定法は、図１の手袋１０Ａの第３および第４生地１４，１５のそれと同様に、ＪＩＳ  Ｌ  １０１８（クラブ法）に準拠して測定した。
【００３９】
手袋１０Ｂでは、図６に示すように、それら生地１２，１３，１４，１５が手袋１０Ｂの厚み方向に重なり合っている。第１生地１２と第２生地１３とは、互いに重なり合って内手袋を形成している。第３生地１４は、第１生地１２の外側に位置し、生地１２に重なっている。第４生地１５は、第２生地１３の外側に位置し、生地１３に重なっている。第３生地１４と第４生地１５とは、外手袋を形成している。手袋１０Ｂでは、図７に示すように、それら生地１２，１３，１４，１５の周縁１６，１７，１８，１９が手袋１０Ｂの内側へ向かって延出している。
【００４０】
手袋１０Ｂでは、手挿入口１１を除き、第１生地１２の周縁１６と第３生地１４の周縁１８とがそれら生地１２，１４の周縁１６，１８に沿って延びる熱溶着線２０によって接合され、第２生地１３の周縁１７と第４生地１５の周縁１９とがそれら生地１３，１５の周縁１７，１９に沿って延びる熱溶着線２１によって接合されており、第３生地１４の周縁１８と第４生地１５の周縁１９とがそれら生地１４，１５の周縁１８，１９に沿って延びる熱溶着線２２によって接合されている。手挿入口１１では、第１生地１２と第３生地１４とがそれら生地１２，１４の端縁２３，２５に沿って延びる熱溶着線２７によって接合され、第２生地１３と第４生地１５とがそれら生地１３，１５の端縁２４，２６に沿って延びる熱溶着線２７によって接合されている（図５参照）。
【００４１】
それら生地１２，１３，１４，１５の周縁１６，１７，１８，１９と手挿入口１１の端縁２３，２４，２５，２６とを除いた残余の部位２８では、それら生地１２，１３，１４，１５が接合されておらず、一方の生地の動きが他方の生地によって阻止されることはなく、それら生地１２，１３，１４，１５が自由に動くことができる。熱溶着線２０，２１，２２は、手袋１０Ｂの外側に露出することなく、手袋１０Ｂの内側に位置している。この手袋１０Ｂの製造手順は、第１および第２生地１２，１３にポリウレタンフィルム（熱溶着性フィルム）を使用することを除き、図１の手袋１０Ａのそれと同一であるから、その説明は省略する。
【００４２】
この手袋１０Ｂは、その着用中に指又部分２９（図１参照）における第１生地１２に引張力や剥離力、ずれ応力が作用し、指又部分２９において第１生地１２と第３生地１４との接合が解除されたとしても、引張力や剥離力、ずれ応力が第１生地１２から第３生地１４や第４生地１５に伝わることはないから、第３生地１４と第４生地１５との接合が維持され、指又部分２９における手袋１０Ｂの破損を確実に防ぐことができ、指又部分２９からの塵埃の漏れを確実に防ぐことができる。また、手袋１０Ｂの着用中に指又部分２９における第２生地１３に引張力や剥離力、ずれ応力が作用し、指又部分２９において第２生地１３と第４生地１５との接合が解除されたとしても、引張力や剥離力、ずれ応力が第２生地１３から第４生地１５や第３生地１４に伝わることはないから、第３生地１４と第４生地１５との接合が維持され、指又部分２９における手袋１０Ｂの破損を確実に防ぐことができ、指又部分２９からの塵埃の漏れを確実に防ぐことができる。
【００４３】
この手袋１０Ｂは、第１および第２生地１２，１３の定加重時伸び率が第３および第４生地１４，１５の定加重時伸び率よりも大きいから、第１および第２生地１２，１３が着用者の手の動きに追従し、着用者が手を激しく動かしたとしても、それら生地１２，１３が破損することはない。さらに、第１および第２生地１２，１３が着用者の手の動きに追従することで、第１および第２生地１２，１３と第３および第４生地１４，１５との接合が維持され、指又部分２９における手袋１０Ｂの破損を確実に防ぐことができる。手袋１０Ｂは、第１〜第４生地１２，１３，１４，１５の周縁１６，１７，１８，１９が手袋１０Ｂの内側へ向かって延出し、それら生地１２，１３，１４，１５の周縁１６，１７，１８，１９（熱溶着線２０，２１，２２）が手袋１０Ｂの外側に露出することがないから、それら生地１２，１３，１４，１５の周縁１６，１７，１８，１９（熱溶着線２０，２１，２２）が手袋１０Ｂの外側に露出する場合と比較し、第１〜第４生地１２，１３，１４，１５の周縁１６，１７，１８，１９が外物に接触することはなく、周縁１６，１７，１８，１９が外物に接触することから生じるそれら生地１２，１３，１４，１５どうしの接合の解除を防ぐことができる。手袋１０Ｂは、第１〜第４生地１２，１３，１４，１５の透湿度が１０００〜６０００ｇ／ｍ２・２４ｈｒの範囲にあるから、手袋１０Ｂの内部からの塵埃の漏れを防ぎつつ、手袋１０Ｂ内部の湿気を外気に逃がすことができ、手袋１０Ｂの着用中における蒸れを防ぐことができる。この手袋１０Ｂは、着用者の手の蒸れを防ぐことができるから、長時間の使用において着用者に不快感を与えることがない。
【００４４】
なお、各生地原反の溶着や切断に高周波溶着および高周波切断を利用しているが、それの他に、ヒーター溶着および溶断の技術、超音波溶着および溶断の技術を利用して手袋１０Ａ，１０Ｂを作ることもできる。
【図面の簡単な説明】
【００４５】
【図１】一例として示す手袋の斜視図。
【図２】図１の手袋の分解斜視図。
【図３】図１のＡ−Ａ線端面図。
【図４】図１のＢ−Ｂ線端面図。
【図５】図１のＣ−Ｃ線端面図。
【図６】他の一例として示す手袋の分解斜視図。
【図７】図６の手袋における図３と同様の端面図。
【符号の説明】
【００４６】
１０Ａ  手袋
１０Ｂ  手袋
１１    手挿入口
１２    第１生地
１３    第２生地
１４    第３生地
１５    第４生地
１６    周縁
１７    周縁
１８    周縁
１９    周縁
２０    溶着線
２１    溶着線
２２    溶着線
２８    部位
２９    指又部分
【図１】
2008266836.tif 000003
【図２】
2008266836.tif 000004
【図３】
2008266836.tif 000005
【図４】
2008266836.tif 000006
【図５】
2008266836.tif 000007
【図６】
2008266836.tif 000008
【図７】
2008266836.tif 000009